(57)【特許請求の範囲】
【請求項１】
帳票に記入された文字軌跡のストロークデータを電子ペンから取得し、帳票画像を作成する帳票画像作成装置であって、
前記帳票は、専用ペーパに複数の記入項目が印刷されたものであり、
前記ストロークデータを、前記電子ペンから受信するストロークデータ受信部と、
前記受信したストロークデータから、前記専用ペーパごとに付与された帳票ＩＤを取得し、前記ストロークデータを解析して前記帳票に記入された文字の位置座標を取得するストロークデータ解析部と、
前記ストロークデータ解析部によって解析された前記文字の位置座標と、前記帳票の記入項目の座標値とを比較し、前記文字がどの記入項目に記載されているかを認定し、前記複数の記入項目に関連付けられて登録された表示有無情報を用いて、前記記入項目に記入された文字を表示すべきか否かを判断する表示画像判断部と、
前記表示画像判断部において表示すべきと判断された前記文字のストロークデータの文字画像と、前記帳票ＩＤを基に取得した前記帳票の印刷画像とを合成した表示画像のデータを作成する表示画像作成部と、を備え、
前記表示画像作成部は、
前記表示画像判断部において前記帳票の記入項目のいずれかを表示すべきでないと判断した場合に、前記印刷画像の当該記入項目に対応する部分の記入文字のストロークデータの文字画像を含まない画像を前記表示画像として作成すること
を特徴とする帳票画像作成装置。
【請求項２】
前記専用ペーパは、格子状のドットパターンが印刷され、
前記ストロークデータは、前記ドットパターン上に記入された文字軌跡の位置情報であり、
前記帳票ＩＤは、前記ドットパターンの情報により特定されること
を特徴とする請求項１に記載の帳票画像作成装置。
【請求項３】
前記表示画像作成部は、
前記表示画像判断部において前記帳票の記入項目のいずれかを表示すべきでないと判断した場合に、前記印刷画像の当該記入項目に対応する部分をマスキングするマスキング処理部をさらに備えることを特徴とする請求項１または請求項２に記載の帳票画像作成装置。
【請求項４】
前記表示画像作成部は、
前記表示画像判断部において前記帳票の記入項目のいずれかを表示すべきでないと判断した場合に、前記印刷画像の当該記入項目に対応する部分の記入文字をマスキングするマスキング処理部をさらに備えることを特徴とする請求項１乃至請求項３のいずれか１項に記載の帳票画像作成装置。
【請求項５】
前記記入文字のマスキングは、所定のサイズ以上で行うことを特徴とする請求項４に記載の帳票画像作成装置。
【請求項６】
前記表示画像作成部は、
前記帳票の必須である記入項目のいずれかにおいて、前記ストロークデータが受信されていない場合に、前記印刷画像の当該記入項目に対応する部分についての警告表示画像を作成する警告表示画像作成部をさらに備えることを特徴とする請求項１乃至請求項５のいずれか１項に記載の帳票画像作成装置。
【請求項７】
帳票に記入された文字軌跡のストロークデータを電子ペンから取得し、帳票画像を作成する帳票画像作成装置の帳票画像作成方法であって、
前記帳票は、専用ペーパに複数の記入項目が印刷されたものであり、
前記ストロークデータを、前記電子ペンから受信するステップと、
前記受信したストロークデータから、前記専用ペーパごとに付与された帳票ＩＤを取得し、前記ストロークデータを解析して前記帳票に記入された文字の位置座標を取得するステップと、
前記取得された文字の位置座標と、前記帳票の記入項目の座標値とを比較し、前記文字がどの記入項目に記載されているかを認定し、前記複数の記入項目に関連付けられて登録された表示有無情報を用いて、前記記入項目に記入された文字を表示すべきか否かを判断するステップと、
前記表示すべきと判断された文字のストロークデータの文字画像と、前記帳票ＩＤを基に取得した前記帳票の印刷画像とを合成し、前記表示すべきでないと判断された文字のストロークデータの文字画像を含まない表示画像のデータを作成するステップと、
を備えることを特徴とする帳票画像作成方法。
【請求項８】
前記専用ペーパは、格子状のドットパターンが印刷され、
前記ストロークデータは、前記ドットパターン上に記入された文字軌跡の位置情報であり、
前記帳票ＩＤは、前記ドットパターンの情報により特定されること
を特徴とする請求項７に記載の帳票画像作成方法。
【請求項９】
前記帳票の記入項目のいずれかを表示すべきでないと判断した場合に、前記印刷画像の当該記入項目に対応する部分をマスキングするステップをさらに備えることを特徴とする請求項７または請求項８に記載の帳票画像作成方法。
【請求項１０】
前記帳票の必須である記入項目のいずれかにおいて、前記ストロークデータが受信されていない場合に、前記印刷画像の当該記入項目に対応する部分についての警告表示画像を作成するステップをさらに備えることを特徴とする請求項７乃至請求項９のいずれか１項に記載の帳票画像作成方法。
【請求項１１】
専用ペーパに印刷されたドットパターンを読み取る電子ペンと、
前記専用ペーパに印刷され複数の記入項目から構成される帳票に記入された文字軌跡のストロークデータを前記電子ペンから取得し、帳票画像を作成する帳票画像作成装置と、
前記帳票画像作成装置により作成された前記帳票画像を表示する表示装置とからなる帳票画像作成システムであって、
前記帳票画像作成装置は、
前記ストロークデータを、前記電子ペンから受信するストロークデータ受信部と、
前記受信したストロークデータから、前記専用ペーパごとに付与された帳票ＩＤを取得し、前記ストロークデータを解析して前記帳票に記入された文字の位置座標を取得するストロークデータ解析部と、
前記ストロークデータ解析部によって解析された前記文字の位置座標と、前記帳票の記入項目の座標値とを比較し、前記文字がどの記入項目に記載されているかを認定し、前記複数の記入項目に関連付けられて登録された表示有無情報を用いて、前記記入項目に記入された文字を表示すべきか否かを判断する表示画像判断部と、
前記表示画像判断部において表示すべきと判断された前記文字のストロークデータの文字画像と、前記帳票ＩＤを基に取得した前記帳票の印刷画像とを合成した表示画像のデータを作成する表示画像作成部と、を備え、
前記表示画像作成部は、
前記表示画像判断部において前記帳票の記入項目のいずれかを表示すべきでないと判断した場合に、前記印刷画像の当該記入項目に対応する部分の記入文字のストロークデータの文字画像を含まない画像を前記表示画像として作成すること
を特徴とする帳票画像作成システム。
【請求項１２】
前記専用ペーパは、格子状のドットパターンが印刷され、
前記ストロークデータは、前記ドットパターン上に記入された文字軌跡の位置情報であり、
前記帳票ＩＤは、前記ドットパターンの情報により特定されること
を特徴とする請求項１１に記載の帳票画像作成システム。
【請求項１３】
前記表示画像作成部は、
前記表示画像判断部において前記帳票の記入項目のいずれかを表示すべきでないと判断した場合に、前記印刷画像の当該記入項目に対応する部分をマスキングするマスキング処理部をさらに備えることを特徴とする請求項１１または請求項１２に記載の帳票画像作成システム。
【請求項１４】
前記表示画像作成部は、
前記帳票の必須である記入項目のいずれかにおいて、前記ストロークデータが受信されていない場合に、前記印刷画像の当該記入項目に対応する部分についての警告表示画像を作成する警告表示画像作成部をさらに備えることを特徴とする請求項１１乃至請求項１３のいずれか１項に記載の帳票画像作成システム。
【請求項１５】
請求項７乃至請求項１０のいずれか１項に記載の帳票画像作成方法をコンピュータに実行させるためのプログラム。
【発明の詳細な説明】
【技術分野】
【０００１】
本発明は、帳票画像作成装置、帳票画像作成方法、帳票画像作成システム、およびプログラムに関する。
【背景技術】
【０００２】
近年、情報化社会が進展する中、個人情報の取り扱いについては、個人情報保護法が施行されるなど厳格化され、社会的に個人情報保護の重要性が高まっている。従来より個人情報の厳格な管理が求められる行政機関だけでなく、各種金融機関その他の企業等においても、個人情報の取り扱いについては、利用者に説明した上、個人情報を記載した書類およびデータの取り扱いに、より注意を払うことが求められている。
【０００３】
しかし、現在の実情においては、業務上個人情報を取り扱う者に、その業務に必要な個人情報と必要でない個人情報とが同時に開示されることにより、取引業務に不要な個人情報を紙媒体や画像を介して閲覧できてしまう場合が多く、個人情報の管理という点においては、依然として課題が残っている。
【０００４】
一方、近年「電子ペン」と呼ばれるペン型の入力デバイスが登場し、金融機関等の様々な機関で利用され始めている（例えば、特許文献１参照）。電子ペンの代表的なものとしてスウェーデンのＡｎｏｔｏ社が開発した「アノトペン（Anoto Pen）」が知られている。
アノトペンは、所定のドットパターンが印刷された専用紙（以下、「専用ペーパ」と称す）とセットで使用される。利用者が専用ペーパにアノトペンで文字を書くと、ペンの移動に伴って、アノトペンが備える小型カメラが専用ペーパ上のドットパターンを検出し、利用者が書き込んだ文字の軌跡に関する位置情報（以下、「ストロークデータ」と称す）が取得される。このストロークデータが、アノトペンに備えられた通信手段により、近くのパーソナルコンピュータや携帯端末等の端末装置に送信される。
【０００５】
このアノトペンは、通常のインクタイプのペンと同様にペン先部を備えており、コンピュータやキーボードの使用に不慣れな利用者にとって非常に使いやすい。そのため、現在、金融機関を含め各種ビジネス上の書類、申込書、契約書等に記入されたデータをデジタル化する手法として、電子ペンを利用したシステムが普及しつつある。
【特許文献１】特開２００７−１９９９３１号公報
【発明の開示】
【発明が解決しようとする課題】
【０００６】
特許文献１に記載された技術は、電子ペンを用いて記憶された契約書の原本性を保証し、利用者にとっては契約の際の手続にかかる待ち時間を短縮するものである。しかしながら、前述の個人情報保護の観点からみると、何ら情報の開示を制限する対策がとられていないため、取引業務に不要な個人情報についても開示されることとなり、デジタル化されたデータを適切に管理する十分な対策がなされていない。
【０００７】
このような背景に鑑みて本発明がなされたのであり、本発明は電子ペンからストロークデータを取得し、帳票の記入項目のうち表示すべきと判断された記入項目のみを表示する表示画像を作成することができる帳票画像作成装置、帳票画像作成方法、帳票画像作成システム、およびプログラムを提供することを目的とする。
【課題を解決するための手段】
【０００８】
前記課題を解決するため、本発明の帳票画像作成装置、帳票画像作成方法、帳票画像作成システム、およびプログラムは、電子ペンから帳票に記入された文字のストロークデータを受信し、前記文字のストロークデータを表示すべきか否かを判断し、前記表示すべきと判断されたストロークデータと前記帳票の印刷画像とを合成して表示画像を作成することを特徴とする。
【発明の効果】
【０００９】
本発明によれば、電子ペンからストロークデータを取得し、帳票の記入項目のうち表示すべきと判断された記入項目のみを表示する表示画像を作成することができる帳票画像作成装置、帳票画像作成方法、帳票画像作成システム、およびプログラムを提供することができる。
【発明を実施するための最良の形態】
【００１０】
次に、本発明を実施するための最良の形態（「実施形態」という）について、適宜図面を参照しながら詳細に説明する。
【００１１】
図１は、本実施形態に係る帳票画像作成システムの構成例を示す図である。
帳票画像作成システム１００は、電子ペン２と、電子ペン２を用いて帳票を記入するための専用ペーパ３と、電子ペン２からストロークデータを受信し、帳票の表示画像を作成する帳票画像作成装置１と、帳票画像作成装置１が受信したストロークデータを保存しておくためのストロークデータデータベース（ＤＢ）４と、作成された表示画像を表示するための表示装置５とを有している。
【００１２】
電子ペン２は、ドットパターンが印刷された専用ペーパ３と組み合わせて使用され、通常のペンと同様にペン先部を備えている。利用者はこのペン先部を用いて通常のペンと変わらない方法で専用ペーパ３上に文字を書くことができる。なお、電子ペン２は文字以外の図形を描いても、もちろんストロークデータを取得することが出来る。以下の説明においては文字の記入を例にとって説明するが、文字以外の図形が記入された場合も同様に処理することが可能である。
【００１３】
また、電子ペン２は、その内部に、カメラ、圧力センサ、メモリ、通信手段等を備えている。電子ペン２は、ペン先部により専用ペーパに描かれたインクの軌跡をデータ化するのではなく、備え付けられたカメラが専用ペーパ３に印刷されているドットパターンを読み取り、電子ペン２が移動した軌跡座標をデータ化する。ここで、利用者が電子ペン２を使用して記入した文字の軌跡に関するドットパターン上の位置座標が「ストロークデータ」である。
【００１４】
図２(a)は、専用ペーパ３に帳票の記入項目が印刷された例を示している。
専用ペーパ３は、台紙上の全面にドットパターンが印刷され、その上に罫線等の図案が印刷されているものである。台紙は通常の紙であり、ドットパターンは、電子ペン２に備えられたカメラが認識できる専用インキにより印刷されることが望ましい。また、図案は、通常のインキで印刷されているものである。これにより利用者は、ドットパターンを意識することなく、従来の帳票と同様に電子ペンを利用して記入項目に書き込むことができる。
以下の説明においては、上記のようなインキを利用しているものとして説明するが、ドットパターンは他の印刷に比べ細かいため、通常のインキでの利用も可能である。この場合、利用者には、ドットパターンは帳票上の紋様のように見えるが、ドットパターン以外の印刷（文字、枠等）も視認できるので帳票としての利用が可能である。
【００１５】
図２(b)に示すように、ドットパターンは約０．３ｍｍ間隔の格子状に配置されており、その交点から左右、上下方向に僅かにずらした位置に各ドットが打たれている。電子ペン２は、内蔵したカメラにより６×６＝３６ドットの範囲を読み取る。この３６個のドットにより形成されるドットパターンは、他の６×６ドットのどのドットパターンと比較しても絶対に一致することがないように設定されている。したがって、ドットパターン上のペンの軌跡は、すべて異なる位置情報として認識することができる。
【００１６】
ドットパターンの配置の割り当ては、用紙の種類ごとに行われる。よって、同一の記載様式の帳票にはすべて同じドットパターンが印刷されている。
また、ある記載様式の帳票内のドットパターンは、他の記載様式の帳票と重複することはないため、ドットパターンを読み取ることで、その帳票を他の帳票から区別することができ、帳票の記載様式に固有の識別情報である帳票ＩＤを設定することができる。
したがって、利用者が電子ペン２で専用ペーパ３の帳票の記入項目に書き込むと、そのドットパターンの情報から、帳票ＩＤと位置情報が特定され、その記入情報がどの記載様式の帳票のどの記入項目に対応するものかを認定することができる。
【００１７】
また、利用者が電子ペン２を用いて専用ペーパ３上に文字を書きこむと、電子ペン２のペン先部に設けられた圧力センサが働き、カメラが作動するようになっている。そして、利用者が書き込むことにより得られたストロークデータは、電子ペン２のメモリに一時保存された後に、通信手段を介して近くに設置された帳票画像作成装置１に送信され、処理が行われる。
【００１８】
次に、帳票画像作成装置１について詳細に説明する。
図３は、帳票画像作成装置１の構成例を示す機能ブロック図である。
帳票画像作成装置１は、制御部１１、ストロークデータ受信部１２、ストロークデータ解析部１３、表示画像判断部１４、表示画像作成部１５、表示画像送信部１６、ストロークデータ送信部１７、帳票フォーマット記憶部２１、背景画像記憶部２２、およびメモリ部３０を有している。
また、メモリ部３０は、ＲＡＭ（Random  Access  Memory）等の一次記憶装置からなり、ストロークデータメモリ３１、ストロークデータ解析結果メモリ３２、帳票フォーマットメモリ３３、表示画像判断結果メモリ３４、背景画像メモリ３５、および表示画像作成結果メモリ３６を有している。各メモリ３１〜３６は、表示画像を作成する過程でデータを一時的に保存するために用いられる。
【００１９】
制御部１１は、帳票画像作成装置１全体を制御する機能を持つ。
【００２０】
ストロークデータ受信部１２は、利用者が電子ペン２を用いて専用ペーパ３に書き込むことで得られたストロークデータを有線または無線により受信する機能を有する。また、受信したストロークデータをストロークデータメモリ３１に記憶する。
【００２１】
ストロークデータ解析部１３は、ストロークデータを解析し、専用ペーパ３ごとに付与されている帳票ＩＤを読み出す。また、ストロークデータを解析することで、利用者が専用ペーパ３に印刷された帳票のどの位置に文字を書き込んだかの座標値（位置座標）を取得する。
ストロークデータ解析部１３が解析した結果を図４に概念図として示す。
電子ペン２を用いて利用者が記入した文字は、ストロークデータ解析部１３によって、専用ペーパ上の位置座標としてデータ化される。図４においては、例えば「沖」の文字を利用者が専用ペーパ３に書き込んだ場合、その位置座標が文字の左上座標（Ｘ１，Ｙ１）および右下座標（Ｘ２，Ｙ２）としてデータ化されることを意味する。
また、ストロークデータ解析部１３は、その解析結果である帳票ＩＤとストロークデータから得られた文字の位置座標とを、ストロークデータ解析結果メモリ３２に記憶する。
【００２２】
表示画像判断部１４は、ストロークデータから得られた帳票ＩＤに対応する帳票の記載様式である帳票フォーマットを帳票フォーマット記憶部２１から取得し、帳票フォーマットメモリ３３に記憶する機能を持つ。
【００２３】
ここで帳票フォーマット記憶部２１は、帳票ごとに定義された記入項目の位置座標等のフォーマットを記憶する記憶手段であり、ハードディスク等で構成される。
図５に帳票フォーマット記憶部２１に記憶される帳票フォーマット５００の具合的な内容を示す。
帳票フォーマット５００は、帳票ＩＤ５０１に対応した記入項目５０２と、記入項目エリア座標５０３と、表示有無情報５０４と、必須記入項目情報５０５とから構成される。
記入項目エリア座標５０３は、帳票ＩＤ５０１ごとに設定された記入項目５０２のエリア座標を記憶する。ここで、記入項目のエリア座標は、例えば図２(a)の記入項目［１］に示すように、記入項目［１］の左上頂点座標（ｘ１，ｙ１）および右下頂点座標（ｘ２，ｙ２）で囲まれた領域を示している。利用者は、この記入項目のエリア座標内に、文字情報を書き込む様式となっている。
【００２４】
また、表示有無情報５０４（図５参照）には、利用者が記入した記入項目を表示装置に表示させるか否かを判断する情報が登録されている。ここでは、業務に必要で表示させる必要がある記入項目を「１」、業務に必要はなく表示させる必要がないものを「０」としている。
さらに、必須記入項目情報５０５には、各記入項目が利用者にとって必須の記入項目であるか否かが登録される。ここでは、利用者が記入すべき必須の記入項目である場合には「１」、必須の記入項目ではない場合を「０」で示している。ここで、図２(a)等において記入項目を太枠で示しているものは、必須の記入項目であることを表すものである。
なお、この帳票フォーマット５００は、予め帳票フォーマット記憶部２１に登録されているものとする。
【００２５】
そして表示画像判断部１４（図３参照）は、帳票フォーマット５００に記載された記入項目エリア座標５０３および表示有無情報５０４と、ストロークデータ解析結果メモリ３２に記憶された文字の位置座標とから、記入文字を表示すべきか否か判断する機能を持つ。
また、表示すべきと判断した文字のストロークデータを、表示画像判断部１４はストロークデータメモリ３１から表示画像判断結果メモリ３４にコピーする機能を持つ。
【００２６】
表示画像作成部１５は、帳票フォーマットメモリ３３に記憶された表示有無情報５０４と、表示画像判断結果メモリ３４に記憶されたストロークデータと、背景画像メモリ３５に記憶された背景画像とをもとに表示画像を作成する機能を持つ。
【００２７】
ここで背景画像とは、専用ペーパ３に印刷された記入項目のレイアウト画像、すなわち電子ペン２による記入がされる前の状態の印刷物の画像である印刷画像（ドットパターンを除いたものであってもよい）である。図６に例示した背景画像６００は、図２(a)の専用ペーパ３に印刷された帳票ＩＤ「111111」に対応した記載様式の背景画像を示している。この背景画像６００は、帳票の記載様式に対応したものであり、帳票ＩＤに関連付けられて予め背景画像記憶部２２に記憶されている。
表示画像作成部１５は、ストロークデータ解析結果メモリ３２に記憶された帳票ＩＤをもとに、背景画像記憶部２２から該当する背景画像を選択し背景画像メモリ３５に記憶する。
【００２８】
また、表示画像作成部１５は、マスキング処理部１５１と警告表示画像作成部１５２とを有している。
マスキング処理部１５１は、帳票フォーマットメモリ３３に記憶された表示有無情報５０４により、表示させる必要がないと判断された記入項目に対応する部分の背景画像をマスキングする機能を持つ。
【００２９】
警告表示画像作成部１５２は、帳票フォーマットメモリ３３に記憶された必須記入項目情報５０５で必須の記入項目とされたエリアに、ストロークデータを解析して得られた文字の位置座標に関する情報が記憶されているかを判断する。必須の記入項目であるにも拘わらず、利用者によってその記入項目が記入されていない場合には、その背景画像の対応する未記入の記入項目の部分について警告表示画像を作成する機能を持つ。
【００３０】
そして、表示画像作成部１５は、マスキング処理部１５１および警告表示画像作成部１５２により完成した背景画像と、表示画像判断結果メモリ３４に記憶され表示すべきと判断された文字のストロークデータとを合成し表示画像を作成する機能を持つ。また、表示画像作成部１５は、作成した表示画像を表示画像作成結果メモリ３６に記憶する。
【００３１】
表示画像送信部１６は、表示画像作成結果メモリ３６に記憶された表示画像を表示装置５（図１参照）に送信する機能を持つ。
【００３２】
ストロークデータ送信部１７は、ストロークデータメモリ３１に記憶されたストロークデータを記録データとして保存するため、ストロークデータＤＢ４に送信する機能を持つ。
【００３３】
再び図１に戻り説明すると、表示装置５は、帳票画像作成装置１の表示画像送信部１６を介して送信された表示画像を表示する機能を持つ。金融機関等の業務を想定した場合、表示装置５は、利用者が記入した帳票を用いて取引業務を行うための窓口端末に相当するものである。
【００３４】
また、ストロークデータＤＢ４は、帳票画像作成装置１のストロークデータメモリ３１に一時記憶されたストロークデータすべてを、最終的に保存する記憶装置である。
【００３５】
次に、適宜図３を参照しながら図７に沿って、本実施形態に係る帳票画像作成装置の処理について説明する。
図７は、本発明の実施の形態に係る帳票画像作成装置１の動作を示すフローチャートである。
【００３６】
まず、ストロークデータ受信部１２は、利用者が専用ペーパ３に電子ペン２を用いて記入することで得られたストロークデータを電子ペン２から受信し（ステップＳ７０１）、ストロークデータメモリ３１に記憶する。ここでは、利用者が図２(a)に示す専用ペーパ３に電子ペン２を用いて記入したものとする。
【００３７】
次に、ストロークデータ解析部１３は、ストロークデータメモリ３１に記憶されたストロークデータを解析し、専用ペーパ３に付与されている帳票ＩＤを読み出す。また、ストロークデータ解析部１３は、ストロークデータから、利用者が専用ペーパ３に印刷された帳票のどの位置に文字を書き込んだのかを位置座標として取得する（ステップＳ７０２）。
【００３８】
具体的には図４に示すように、ストロークデータ解析部１３がストロークデータを解析することにより、帳票ＩＤが「111111」であること、そして記入文字が位置座標としてデータ化される。
ストロークデータ解析部１３は、この解析結果である帳票ＩＤと記入文字の位置座標をストロークデータ解析結果メモリ３２に記憶する。
【００３９】
次に、表示画像判断部１４は、ストロークデータ解析結果メモリ３２に記憶した帳票ＩＤ「111111」をもとに、帳票フォーマット記憶部２１から該当する帳票ＩＤ「111111」の帳票フォーマットのデータ（図５の太枠内の情報）を帳票フォーマットメモリ３３に記憶する（ステップＳ７０３）。
【００４０】
そして、表示画像判断部１４は、ストロークデータ解析結果メモリ３２に記憶した記入文字の位置座標と、帳票フォーマットメモリ３３に記憶された記入項目エリア座標５０３の記入項目ごとの座標値とを比較し、記入文字がどの記入項目に記載されているかを判断する（ステップＳ７０４）。
【００４１】
次に表示画像判断部１４は、各記入項目に記載されていると判断された記入文字の文字数を、ストロークデータ解析結果メモリ３２に記憶された記入文字の位置座標に関するデータからカウントし（ステップＳ７０５）、その処理結果を表示画像判断結果メモリ３４に記憶する。
図８は、記入項目ごとの記入文字数８０１を表示画像判断部１４がカウントした結果を示している。
ここで、例えば記入項目[１]には記入文字数８０１が「３」記入されていることを示す。一方、記入項目[２]、[６]、[８]には、利用者が何も記入していないため記入文字数８０１は「０」であり、ストロークデータは存在しない。
【００４２】
さらに、表示画像判断部１４は、帳票フォーマットメモリ３３に記憶した表示有無情報５０４から（図５参照）、各記入項目に記載された記入文字を表示すべきか判断する。ここでは、記入項目［１］〜［４］および［その他］に該当する記入文字は表示対象となり、記入項目［５］〜［８］に該当する記入文字は表示対象外であることを示している。
なお［その他］は、利用者が記入項目外のエリアに文字を記入した場合を示している。
そして、表示対象となった記入文字のストロークデータを、表示画像判断部１４はストロークデータメモリ３１から表示画像判断結果メモリ３４にコピーする（ステップＳ７０６）。
具体的には図９に示すように、表示画像判断部１４は、例えば記入文字の位置座標（Ｘ１，Ｙ１）（Ｘ２，Ｙ２）が記入項目［１］のエリア座標内にあると判断した場合、表示有無情報５０４により記入項目[１]は表示対象であるため、ストロークデータメモリ３１に記憶されている該当する記入文字のストロークデータを表示画像判断結果メモリ３４にコピーする。一方、記入文字の位置座標（Ｘ１３，Ｙ１３）（Ｘ１４，Ｙ１４）が記入項目［５］のエリア座標内にあると判断した場合、記入項目[５]は、表示対象ではないためストロークデータはコピーしない。
なお、実際には記入項目からはみ出して記入される場合も多い。このため、一部が記入項目［５］のエリアに入っているストロークデータを含む記入文字については、入っていない部分があっても、記入項目［５］のエリアに入っているものとして扱う。
【００４３】
次に、表示画像作成部１５は、背景画像記憶部２２に記憶されている背景画像の中から、帳票ＩＤ「111111」をもとに、該当する帳票の背景画像を検索し、背景画像メモリ３５に記憶する（ステップＳ７０７）。本実施形態では、図６に示すように、利用者が記入した専用ペーパ３（図２(a)参照）に印刷された帳票の記入項目と同じレイアウトが背景画像６００となる。
【００４４】
次に、表示画像作成部１５に予め設定された図１０に示す背景画像の表示方法に従って、表示画像作成部１５が備えるマスキング処理部１５１と警告表示画像作成部１５２とが、背景画像の該当する記入項目の表示を変換する処理を行う。
具体的にはマスキング処理部１５１は、帳票フォーマットメモリ３３に記憶された表示有無情報５０４（図５参照）により、表示させる必要がないと判断された記入項目（図１０に示す１００１）に対応する背景画像の部分のマスキング処理（「網掛け」表示）を行う（ステップＳ７０８）。
【００４５】
また、上記のマスキング処理は、項目全体でなく記入文字に対して行うようにすることもできる。例えば上述のストロークデータを利用して、各記入文字の位置座標に少なくとも外接する矩形により文字を隠したり、項目内の記入文字全体に外接する矩形により、記入全体を隠すこともできる。このようにすれば、記入項目からはみ出した文字のマスキングが可能になる。この矩形は一定サイズ以上（当該記入項目の通常の記入文字のサイズをカバーできればよく、例えば当該記入項目の縦サイズ四方等）であるようにすれば、マスクの形状から記入文字を類推されることがない。この記入文字に対するマスクと記入項目に対するマスクを組み合わせて同時に行うようにしても良い。
【００４６】
なお、このマスキング処理は省略してもよい。この場合、単に文字が表示されず、あたかも未記入項目のように表示がなされる。このようにすれば、記入したことそのものを知られないようにできるので、記入項目によってなんらかの情報を類推できるような場合等、記入したことすら知られたくない項目に対して有効である。
【００４７】
また、警告表示画像作成部１５２は、帳票フォーマットメモリ３３に記憶された帳票フォーマットの必須記入項目情報５０５（図５参照）と、表示画像判断結果メモリ３４に記憶されている各記入項目の記入文字数８０１（図８参照）とを比較する。そして必須である記入項目のうち、記入文字数８０１が「０」の記入項目について、背景画像の対応する記入項目の部分について警告表示を作成する（ステップＳ７０９）。
ここで警告表示は、表示対象・表示対象外に拘わらず、必須記入項目で記入がなされていなければ背景画像の対応する記入項目の部分を赤色（図１０に示す１００２，１００３）で表示させるようにする。
なお、表示対象外で必須記入項目の記入がない背景画像の記入項目（１００３）を、「網掛け」と「赤色」を同時に表示させる構成にすることも可能である。
【００４８】
背景画像を変換した処理結果を図１１に示す。
図１０の表示方法に基づいて、記入項目[５]、[７]、[８]は、表示対象でなく（図５参照）、かつ「必須記入項目で記入なし」に該当しないためマスキング処理部１５１によりマスキング処理がされ「網掛け」表示される。一方、記入項目［１］〜［４］は、表示対象であるためマスキング処理されない。
また、必須の記入項目であるが記入文字数８０１（図８参照）が「０」であった記入項目[２]および[６]は、警告表示画像作成部１５２により背景画像の対応する記入項目が「赤色」に変換される。
【００４９】
そして、表示画像作成部１５は、完成した背景画像（図１１）と、表示画像判断結果メモリ３４に記憶した表示対象となる文字のストロークデータとを合成し、表示画像を作成する（ステップＳ７１０）。そして、作成された表示画像を表示画像作成部１５は、表示画像作成結果メモリ３６に記憶する。
【００５０】
次に、表示画像作成結果メモリ３６に記憶された表示画像を、表示画像送信部１６は表示装置５（図１参照）に送信する（ステップＳ７１１）。表示装置５には、業務に必要な記入項目のみが表示され、業務に必要のない記入項目には「網掛け」表示がなされた帳票画面が表示される。また、必須の記入項目であるにも拘わらず、利用者の記入がない記入項目について「赤色」の警告表示がなされた帳票画面が表示される。
【００５１】
そして、帳票画像作成装置１は、ストロークデータを利用者の記入履歴として保存するため、ストロークデータメモリ３１に記憶された記入文字のすべてのストロークデータを、ストロークデータ送信部１７を介して、ストロークデータＤＢ４に送信する（ステップＳ７１２）。
【００５２】
このように本実施形態によれば、電子ペン２を用いてストロークデータを取得し、その帳票を扱う取引業務に必要な記入項目に対応するストロークデータのみを表示装置５に送信し表示させることができる。また、取引業務に必要のない記入項目については、マスキングして記入情報を表示しない帳票画像を作成することができる。このようにすることで、個人情報の管理をより厳格にした帳票画像を作成することができる。
さらにこのとき、そもそも隠すべき部分の情報を含む画像を作成しないので、より個人情報の管理を厳格化できる。
【００５３】
また、利用者が帳票に記入する際に、必須の記入項目が未記入であった場合でも、警告表示をすることで、記入漏れを防止する帳票画像を作成することができる。
【００５４】
なお、本実施形態では、マスキング処理部１５１によるマスキング処理を「網掛け」表示としたが、他の記入項目と異なる色による表示（例えば「グレー」表示）等としてもよい。
また、警告表示画像作成部１５２による警告表示について、必須の記入項目で記入がない場合、「赤色」として警告表示画像を作成したが、赤色以外の色や罫線の使用、未記入である旨の文章での表示等により、警告表示を行うことも可能である。
【図面の簡単な説明】
【００５５】
【図１】本発明の実施形態に係る帳票画像作成システムの構成例を示す図である。
【図２】図２(a)は、本発明の実施形態に係る専用ペーパに帳票を印刷した図である。また、図２(b)は、専用ペーパに印刷されたドットパターンの一例を示す図である。
【図３】本発明の実施形態に係る帳票画像作成装置の構成例を示す機能ブロック図である。
【図４】本発明の実施形態に係るストロークデータ解析を示す概念図である。
【図５】本発明の実施形態に係る帳票フォーマットを示す図である。
【図６】本発明の実施形態に係る背景画像の一例を示す図である。
【図７】本発明の実施形態に係る帳票画像作成装置の動作を示すフローチャートである。
【図８】本発明の実施形態に係る帳票の記入項目に記入された記入文字数を示す図である。
【図９】本発明の実施形態に係るストロークデータの表示処理を示す概念図である。
【図１０】本発明の実施形態に係る背景画像のブロッキング処理と警告表示の表示方法を示した図である。
【図１１】本発明の実施形態に係る完成した背景画像の一例を示す図である。
【符号の説明】
【００５６】
１      帳票画像作成装置
２      電子ペン
３      専用ペーパ
４      ストロークデータＤＢ
５      表示装置
１１    制御部
１２    ストロークデータ受信部
１３    ストロークデータ解析部
１４    表示画像判断部
１５    表示画像作成部
１６    表示画像送信部
１７    ストロークデータ送信部
２１    帳票フォーマット記憶部
２２    背景画像記憶部
３０    メモリ部
１５１  マスキング処理部
１５２  警告表示画像作成部
５００  帳票フォーマット
５０４  表示有無情報
５０５  必須記入項目情報
６００  背景画像
【図１】
0004983528.tif 000002
【図２】
0004983528.tif 000003
【図３】
0004983528.tif 000004
【図４】
0004983528.tif 000005
【図５】
0004983528.tif 000006
【図６】
0004983528.tif 000007
【図７】
0004983528.tif 000008
【図８】
0004983528.tif 000009
【図９】
0004983528.tif 000010
【図１０】
0004983528.tif 000011
【図１１】
0004983528.tif 000012